(57)【要約】
【課題】枕の使用感は個人個人により差異がある。快適に使用していた枕も、意外に短い期間で変形し違和感が生じるようになる事が多かった。必要に応じて枕を使用者が快適な高さに容易に調整出来るようにする。
【解決手段】複数の連続に変化する例えば楔形の断面形状を有する枕部品を、左右または前後に組み合わせ、各々の重ね合わせの相対位置を変化させる事により形状の特性による厚みの変化が生じる事を特徴とし個人個人が快適な枕高さを容易に調整する事が可能な構造の枕。
【選択図】図１
0003099902.tif 000002
【実用新案登録請求の範囲】
【請求項１】
　連続して変化する断面形状を複数有する枕において、各部分の相対位置を変化させる事により、枕の高さを変化させる事を特徴とする枕。
【請求項２】
　異なる断面形状部分を有する頸部用クッションを輪状にした枕部品を組み合わせた請求項１記載の枕。
【考案の詳細な説明】
【技術分野】
【０００１】
　本考案は、人々が睡眠をとる際に常に快適な使用感を得られる枕の構造に関するものである。近年人々が睡眠をとる際に、各々適合した寝具を使用し快適な睡眠を得ることが、健康的な生活を送る上で重要と考えられている。枕は快適な睡眠を得るために、使用者に適合した形状、材質を選択することが重要な要素であると考えられる。
【０００２】
　枕は様々な形状、材質のものが市販されているが枕の高さが調整可能な構造の製品は少ない。特許文献おいて、枕の高さを調整する方法として頭部の受圧部に空気バッグを設け、その空気量を調節する方式等があるが、就寝時の頭部の安定感、保温効果が大きすぎる等の課題があり日常使用するには適切でないと考えられる。
【０００３】
　枕の高さを調整する方法に関しては様々な方法が文献上見受けられるが、何れも複雑であり実施が困難なものが多いと考えられる。個人差はあるが、健康で快適な睡眠をとることが出来る枕を得るには容易ではない現状がある。また、快適に使用していた枕も、意外に短い期間で変形し違和感が生じるようになる事が多かった。
【特許文献１】実開平７−３９６３８号公報
【考案の開示】
【考案が解決しようとする課題】
【０００４】
　一般に快適な枕とは、それを使用する個人個人の使用感の違いにより大きく左右される。それは枕の材質、形状、使用者の体型等により大きく異なる。特に枕の高さは快適な睡眠をとる上で重要な要素であるが、万人向きの形状の枕を製造する事は困難である。
【０００５】
　日々の体調の変化に合わせて枕の使用感を調節する事は難しい。また枕が使用期間と共に変形を起こし当初快適だった使用感も低下し、快適な睡眠を持続することが困難となる課題がある。
【課題を解決するための手段】
【０００６】
　それ等を解決するために、本考案の枕は、複数の構成部分の相対位置を変化させる事により枕の高さを調整する事を手段としたものである。
【考案の効果】
【０００７】
　本考案は、断面形状を一定に変化させた部分の相対位置を変えることにより、相重なる部分の高さが変化するため、使用者が自分に適合する快適な高さを容易に得られる効果がある。
【０００８】
　また、一定期間の使用後に生ずる枕の材質的疲れによる変形や、使用者がその日の体調等により使用感に変化が生じた場合でも枕構成部の相対位置を変化させる事により容易に快適な枕の形状に調整する事が出来る効果がある。
【考案を実施するための最良の形態】
【０００９】
　製造経費を小さくする事を前提とするならば、楔形の断面を有する二つの部品を同一形状にする事が可能である。高さの薄い辺部分を相対峙させて重ね合わせ、使用者の好みに適合するように位置を変化させ重なり部の高さを調整し、圧着ファスナー等にて一体形状にする。さらに、その上に枕カバーにて覆う構成が考えられる。
【００１０】
　また、枕上面は頭部、頸部の受圧を考慮して三次曲面的に調整された形状とし、材質はウレタンフォーム等の成形品として、さらに上面により柔軟な感触の低反発樹脂等にて覆い快適な枕とすることも考えられる。
【００１１】
　楔状の部品は左右とは限らず、前後方向に分割、組み立てとする方法も考えられる。さらに、より快適感を得るため部品数を増やし、微妙な枕の調整を必要とする老人福祉用、医療等にと幅広い用途が可能になる。
【００１２】
　楔状の部品の高さ調整機能に加え、頸部や後頭部の受圧部の使用感を調整する目的で、断面形状の異なる部分を有する輪状に成形された柔軟性の富むクッションを組み立て部品として付加させる事も有効である。使用者は好みの断面形状部の位置に合わせて組み立てる事によりより快適な使用感を得ることが出来る。
【００１３】
　該輪状のクッションは使用者が快適なサイズの部分を容易に選択出来るように圧着ファスナー等にて枕本体に着脱が容易に出来る構造とする。
【実施例】
【００１４】
　図１は、本考案の実施例１の組み立て後の鳥瞰図であり、部品１、及び部品２を図に示すように重ね、快適な受圧部の高さを調整し圧着ファスナーにて組み立てる。その上面に枕カバー３を圧着ファスナー５，及び６にて止める。枕カバーは袋状の枕全体を覆う構造とする方式も考えられる。
【００１５】
　図２は実施例１の組み立て前の部品を示し、部品１は部品２と対峙して配置し、部品１の底部に設けた圧着ファスナーと部品２の上面の圧着ファスナー４にて部品１と部品２が一体に固定される。また、部品１と部品２とは高さを調整するための移動を可能する範囲で、布地等にて一体に繋ぎ合わせた構造にする事も可能である。
【００１６】
　図３、図４は実施例１の部品１と部品２の相対位置の変化に応じて、枕の高さが変化する組み合わせの状態を示す断面図である。
【００１７】
　図５は、実施例２の組み立て後の鳥瞰図を示し、実施例１と同様な部品１、部品２の上面に部品７の輪状クッションを載せ頸部の受圧部を構成するもので、断面形状の異なる部分を有し使用者は快適な位置を設定する事が出来る。圧着ファスナー等にて他の部品と一体とする事が可能である。
【００１８】
　また、輪状クッションの材質は柔軟な感触の低反発樹脂製等の成型品が適合するものと考えられる。さらに、該輪状クッションを袋状の柔軟な樹脂製とし内部に比熱の大きい液体やゲル状の物質を充填させる事も考えられ、病気等の発熱時や清涼感やを得るための枕部品とすることも有効と考えられる。
【００１９】
　図６は実施例２の組み立て前の部品を示し、部品１は部品２と対峙して配置し、部品１の底部に設けた圧着ファスナーと部品２の上面の圧着ファスナー４にて一体に固定される。図７は実施例２の部品が組み立てられた状態の断面を示す。
【図面の簡単な説明】
【００２０】
【図１】実施例１の枕の組み立て例を示す鳥瞰図である。
【図２】実施例１の枕部品を組み立てる前の各部品の鳥瞰図である。
【図３】実施例１の枕を高く設定して組み立てた例を示す断面図である。
【図４】実施例１の枕を低く設定して組み立てた例を示す断面図である。
【図５】実施例２の枕の組み立て例を示すの鳥瞰図である。
【図６】実施例２の枕部品を組み立てる前の各部品の鳥瞰図である。
【図７】実施例２枕の組み立て例を示す断面図である。
【符号の説明】
【００２１】
　１　　右部枕部品
　２　　左部枕部品
　３　　カバー
　４　　組み立て用圧着ファスナー
　５　　カバー用圧着ファスナー
　６　　カバー用圧着ファスナー
　７　　輪状クッション
【図１】
0003099902.tif 000003
【図２】
0003099902.tif 000004
【図３】
0003099902.tif 000005
【図４】
0003099902.tif 000006
【図５】
0003099902.tif 000007
【図６】
0003099902.tif 000008
【図７】
0003099902.tif 000009
【手続補正書】
【提出日】平成15年9月16日(2003.9.16)
【手続補正１】
【補正対象書類名】実用新案登録請求の範囲
【補正対象項目名】請求項１
【補正方法】変更
【補正の内容】
【請求項１】
複数の連続して変化する断面形状を有する構成部分により構成される枕において、各部分の相対位置を変化させることにより、枕の高さを変化させる事を特徴とする枕。